(57)【要約】【課題】複数の取引先にまたがる単一の商取引をおこなう場合に、各取引先の口座間の資金移動を減らし、もって事務処理負担並びに資金移動先のリスクを効率良く低減することを課題とする。【解決手段】代理店サーバ２１０上で配分データを作成してこの配分データを含むバーコードを振込用紙に印刷し、ＰＯＳ端末２３０のバーコードリーダ２３３で振込用紙のバーコードを読み取ったならばかかる配分データに基づいて各口座への入金データを作成し、作成した各口座データに基づいて銀行サーバ２４０が各口座データを更新する。【選択図】　　　図２
2004038504.tif 000002
【特許請求の範囲】
【請求項１】
利用者が複数の取引先にまたがる単一の取引をおこなう場合に、該利用者により支払われた代金の一部を各取引先が契約した口座取扱機関の取引先口座にオンラインでそれぞれ振り込む代金振込システムであって、
前記単一の取引に伴って前記利用者から受け取った受取額を所定の比率に基づいて各取引先の口座振込額に配分する配分手段と、
前記配分手段により配分された各取引先の口座振込額を該取引先が契約する口座取扱機関の取引先口座に対して並列に振り込む振込手段と
を備えたことを特徴とする代金振込システム。
【請求項２】
前記単一の取引に伴って前記利用者から受け取る受取額を入力する受取額入力手段をさらに備え、前記配分手段は、前記受取額入力手段により入力された受取額を所定の比率に基づいて各取引先の口座振込額に配分することを特徴とする請求項１に記載の代金振込システム。
【請求項３】
前記受取額入力手段は、前記単一の取引に伴う払込取扱票に付されたバーコードを読み取るバーコードリーダであることを特徴とする請求項１または２に記載の代金振込システム。
【請求項４】
前記配分手段は、前記バーコードリーダが付設されたＰＯＳ端末に配設され、前記振込手段は、各取引先の口座振込額を含む入金データを前記ＰＯＳ端末から各取引先が契約する口座取扱機関のサーバ装置に対して送信することにより振込処理をおこなうことを特徴とする請求項３に記載の代金振込システム。
【請求項５】
前記受取額入力手段は、前記複数の取引先のいずれかに配設されたデビットカード子機であることを特徴とする請求項１または２に記載の代金振込システム。
【請求項６】
前記配分手段は、前記デビット子機から金額の決済をおこなう決済銀行が所有する決済銀行サーバ装置に配設され、前記振込手段は、各取引先の口座振込額を含む入金データを前記決済銀行サーバ装置から各取引先が契約する口座取扱機関のサーバ装置に対して送信することにより振込処理をおこなうことを特徴とする請求項５に記載の代金振込システム。
【請求項７】
前記複数の取引先には、少なくとも保険商品を取り扱う保険会社と、該保険会社による保険契約を代理する代理店が含まれることを特徴とする請求項１〜６のいずれか一つに記載の代金振込システム。
【請求項８】
前記複数の取引先には、少なくとも共同保険契約された商品を取り扱う複数の保険会社が含まれることを特徴とする請求項１〜７のいずれか一つに記載の代金振込システム。
【請求項９】
前記複数の取引先には、少なくとも再保険契約された商品を取り扱う複数の保険会社が含まれることを特徴とする請求項１〜８のいずれか一つに記載の代金振込システム。
【請求項１０】
前記複数の取引先には、少なくとも保険商品を取り扱う複数の保険会社と、消費税を徴収する国の機関が含まれることを特徴とする請求項１〜９のいずれか一つに記載の代金振込システム。
【請求項１１】
利用者が複数の取引先にまたがる単一の取引をおこなう場合に、該利用者により支払われた代金の一部を各取引先が契約した口座取扱機関の取引先口座にオンラインでそれぞれ振り込む代金振込方法であって、
前記単一の取引に伴って前記利用者から受け取った受取額を所定の比率に基づいて各取引先の口座振込額に配分する配分工程と、
前記配分工程により配分された各取引先の口座振込額を該取引先が契約する口座取扱機関の取引先口座に対して並列に振り込む振込工程と
を含んだことを特徴とする代金振込方法。
【請求項１２】
前記単一の取引に伴って前記利用者から受け取る受取額を入力する受取額入力工程をさらに含み、前記配分工程は、前記受取額入力工程により入力された受取額を所定の比率に基づいて各取引先の口座振込額に配分することを特徴とする請求項１１に記載の代金振込方法。
【請求項１３】
前記受取額入力工程は、前記単一の取引に伴う払込取扱票に付されたバーコードを読み取るバーコードリーダにより受取額を入力することを特徴とする請求項１１または１２に記載の代金振込方法。
【請求項１４】
前記振込工程は、前記バーコードリーダが付設されたＰＯＳ端末から各取引先が契約する口座取扱機関のサーバ装置に対して各取引先の口座振込額を含む入金データを送信することにより振込処理をおこなうことを特徴とする請求項１３に記載の代金振込方法。
【請求項１５】
前記受取額入力工程は、前記複数の取引先のいずれかに配設されたデビットカード子機により受取額を入力することを特徴とする請求項１１または１２に記載の代金振込方法。
【請求項１６】
前記振込工程は、前記デビット子機から金額の決済をおこなう決済銀行が所有する決済銀行サーバ装置から各取引先が契約する口座取扱機関のサーバ装置に対して各取引先の口座振込額を含む入金データを送信することにより振込処理をおこなうことを特徴とする請求項１５に記載の代金振込方法。
【請求項１７】
前記複数の取引先には、少なくとも保険商品を取り扱う保険会社と、該保険会社による保険契約を代理する代理店が含まれることを特徴とする請求項１１〜１６のいずれか一つに記載の代金振込方法。
【請求項１８】
前記複数の取引先には、少なくとも共同保険契約された商品を取り扱う複数の保険会社が含まれることを特徴とする請求項１１〜１７のいずれか一つに記載の代金振込方法。
【請求項１９】
前記複数の取引先には、少なくとも再保険契約された商品を取り扱う複数の保険会社が含まれることを特徴とする請求項１１〜１８のいずれか一つに記載の代金振込方法。
【請求項２０】
前記複数の取引先には、少なくとも保険商品を取り扱う複数の保険会社と、消費税を徴収する国の機関が含まれることを特徴とする請求項１１〜１９のいずれか一つに記載の代金振込方法。
【発明の詳細な説明】
【０００１】
【発明の属する技術分野】
この発明は、利用者が複数の取引先にまたがる単一の取引をおこなう場合に、該利用者により支払われた代金の一部を各取引先が契約した口座取扱機関の取引先口座にオンラインでそれぞれ振り込む代金振込システムおよび代金振込方法であって、特に、複数の取引先にまたがる単一の商取引をおこなう場合に、各取引先の口座間の資金移動を減らし、もって事務処理負担並びに資金移動先のリスクを効率良く低減することができる代金振込システムおよび代金振込方法に関する。
【０００２】
【従来の技術】
従来の商取引においては、利用者と商品・サービスの提供業者との間に中間業者が介在することが多い。たとえば、保険商品を利用者に提供する場合には、利用者が直接保険会社に出向くのではなく、保険会社の代理店に出向いて保険契約をおこなう場合が多い。
【０００３】
そして、利用者が代理店に対して保険契約の申込みをおこなったならば、代理店は振込用紙を利用者に渡して代理店の銀行口座に振込手続をおこなうよう依頼する。その後、利用者が代理店の銀行口座に対して振込手続をおこなったならば、代理店の銀行口座に所定の金額が振り込まれるので、この代理店では、振込額から代理店手数料を除いた額を別途保険会社の銀行口座に送金することになる。
【０００４】
このように、従来は、利用者が商取引に伴う対価を支払う場合に、この利用者が取引総額を代理店の銀行口座に振り込んだ後に、この代理店の銀行口座から保険会社の銀行口座に資金移動する処理がおこなわれていた。
【０００５】
【発明が解決しようとする課題】
しかしながら、かかる銀行口座間の資金移動をおこなうこととすると、入金移動に伴う事務処理負担が生ずるという問題がある。具体的には、代理店や保険会社では、帳簿を使って入出金額を管理することが多いので、収支明細書と精算書とのチェックに膨大な人的労力を要する。
【０００６】
また、代理店の銀行口座から保険会社の銀行口座に資金移動する前に代理店が破産したような場合には、本来保険会社が受け取るべき入金額を受け取ることがでず、また債権を回収できなくなるという問題がある。
【０００７】
このように、代理店を介して利用者が保険会社と保険契約ををおこなう場合に、代理店の銀行口座から保険会社の銀行口座に資金移動する際に生ずる事務処理負担並びに資金移動先のリスクをいかに低減するかが極めて重要な課題となっている。この課題は、代理店と保険会社の関係にのみ生ずるものではなく、複数の取引先にまたがる単一の商取引をおこなう場合に広く生ずる課題である。
【０００８】
この発明は、上述した従来技術による問題点（課題）を解消するためになされたものであって、複数の取引先にまたがる単一の商取引をおこなう場合に、各取引先の口座間の資金移動を減らし、もって事務処理負担並びに資金移動先のリスクを効率良く低減することができる代金振込システムおよび代金振込方法を提供することを目的とする。
【０００９】
【課題を解決するための手段】
上述した課題を解決し、目的を達成するため、請求項１の発明に係る代金振込システムは、利用者が複数の取引先にまたがる単一の取引をおこなう場合に、該利用者により支払われた代金の一部を各取引先が契約した口座取扱機関の取引先口座にオンラインでそれぞれ振り込む代金振込システムであって、前記単一の取引に伴って前記利用者から受け取った受取額を所定の比率に基づいて各取引先の口座振込額に配分する配分手段と、前記配分手段により配分された各取引先の口座振込額を該取引先が契約する口座取扱機関の取引先口座に対して並列に振り込む振込手段とを備えたことを特徴とする。
【００１０】
この請求項１の発明によれば、単一の取引に伴って利用者から受け取った受取額を所定の比率に基づいて各取引先の口座振込額に配分し、配分した各取引先の口座振込額を該取引先が契約する口座取扱機関の取引先口座に対して並列に振り込むこととしたので、各取引先の口座間の資金移動を減らし、もって事務処理負担並びに資金移動先のリスクを効率良く低減することができる。
【００１１】
また、請求項２の発明に係る代金振込システムは、請求項１の発明において、前記単一の取引に伴って前記利用者から受け取る受取額を入力する受取額入力手段をさらに備え、前記配分手段は、前記受取額入力手段により入力された受取額を所定の比率に基づいて各取引先の口座振込額に配分することを特徴とする。
【００１２】
この請求項２の発明によれば、単一の取引に伴って利用者から受け取る受取額を入力し、入力した受取額を所定の比率に基づいて各取引先の口座振込額に配分することとしたので、入力された受取額を適切に配分して各取引先口座に並列に振り込むことができる。
【００１３】
また、請求項３の発明に係る代金振込システムは、請求項１または２の発明において、前記受取額入力手段は、前記単一の取引に伴う払込取扱票に付されたバーコードを読み取るバーコードリーダであることを特徴とする。
【００１４】
この請求項３の発明によれば、単一の取引に伴う払込取扱票に付されたバーコードを読み取るバーコードリーダにより単一の取引に伴って利用者から受け取る受取額を入力することとしたので、コンビニエンスストアのキャッシュレジスタなどに配設されているバーコードリーダを用いて受取額を入力した場合であっても、各取引先口座に対してそれぞれ並列に口座振込額を振り込むことができる。
【００１５】
また、請求項４の発明に係る代金振込システムは、請求項３の発明において、前記配分手段は、前記バーコードリーダが付設されたＰＯＳ端末に配設され、前記振込手段は、各取引先の口座振込額を含む入金データを前記ＰＯＳ端末から各取引先が契約する口座取扱機関のサーバ装置に対して送信することにより振込処理をおこなうことを特徴とする。
【００１６】
この請求項４の発明によれば、バーコードリーダが付設されたＰＯＳ端末により上記配分をおこない、各取引先の口座振込額を含む入金データをＰＯＳ端末から各取引先が契約する口座取扱機関のサーバ装置に対して送信することとしたので、ＰＯＳ端末を用いて効率良く資金配分をおこなうことができる。
【００１７】
また、請求項５の発明に係る代金振込システムは、請求項１または２の発明において、前記受取額入力手段は、前記複数の取引先のいずれかに配設されたデビットカード子機であることを特徴とする。
【００１８】
この請求項５の発明によれば、複数の取引先のいずれかに配設されたデビットカード子機を用いて受取額を入力することとしたので、広く普及しているデビットカードを用いた支払いおよび受取額の入力をおこなった場合であっても、各取引先口座に対してそれぞれ並列に口座振込額を振り込むことができる。
【００１９】
また、請求項６の発明に係る代金振込システムは、請求項５の発明において、前記配分手段は、前記デビット子機から金額の決済をおこなう決済銀行が所有する決済銀行サーバ装置に配設され、前記振込手段は、各取引先の口座振込額を含む入金データを前記決済銀行サーバ装置から各取引先が契約する口座取扱機関のサーバ装置に対して送信することにより振込処理をおこなうことを特徴とする。
【００２０】
この請求項６の発明によれば、デビット子機から金額の決済をおこなう決済銀行が所有する決済銀行サーバ装置において上記配分がおこなわれ、各取引先の口座振込額を含む入金データを決済銀行サーバ装置から各取引先が契約する口座取扱機関のサーバ装置に対して送信することとしたので、デビット子機を用いて効率良く資金配分をおこなうことができる。
【００２１】
また、請求項７の発明に係る代金振込システムは、請求項１〜６の発明において、前記複数の取引先には、少なくとも保険商品を取り扱う保険会社と、該保険会社による保険契約を代理する代理店が含まれることを特徴とする。
【００２２】
この請求項７の発明によれば、複数の取引先には、少なくとも保険商品を取り扱う保険会社と、該保険会社による保険契約を代理する代理店が含まれることとしたので、保険会社と代理店の間で生ずる口座間の資金移動をなくすことができる。
【００２３】
また、請求項８の発明に係る代金振込システムは、請求項１〜７の発明において、前記複数の取引先には、少なくとも共同保険契約された商品を取り扱う複数の保険会社が含まれることを特徴とする。
【００２４】
この請求項８の発明によれば、複数の取引先には、少なくとも共同保険契約された商品を取り扱う複数の保険会社が含まれることとしたので、共同保険契約された商品を取り扱う際に生ずる口座間の資金移動をなくすことができる。
【００２５】
また、請求項９の発明に係る代金振込システムは、請求項１〜８の発明において、前記複数の取引先には、少なくとも再保険契約された商品を取り扱う複数の保険会社が含まれることを特徴とする。
【００２６】
この請求項９の発明によれば、複数の取引先には、少なくとも再保険契約された商品を取り扱う複数の保険会社が含まれることとしたので、再保険契約された商品を取り扱う際に生ずる口座間の資金移動をなくすことができる。
【００２７】
また、請求項１０の発明に係る代金振込システムは、請求項１〜９の発明において、前記複数の取引先には、少なくとも保険商品を取り扱う複数の保険会社と、消費税を徴収する国の機関が含まれることを特徴とする。
【００２８】
この請求項１０の発明によれば、複数の取引先には、少なくとも保険商品を取り扱う複数の保険会社と、消費税を徴収する国の機関が含まれることとしたので、消費税を徴収する際に生ずる口座間の資金移動をなくすことができる。
【００２９】
また、請求項１１の発明に係る代金振込方法は、利用者が複数の取引先にまたがる単一の取引をおこなう場合に、該利用者により支払われた代金の一部を各取引先が契約した口座取扱機関の取引先口座にオンラインでそれぞれ振り込む代金振込方法であって、前記単一の取引に伴って前記利用者から受け取った受取額を所定の比率に基づいて各取引先の口座振込額に配分する配分工程と、前記配分工程により配分された各取引先の口座振込額を該取引先が契約する口座取扱機関の取引先口座に対して並列に振り込む振込工程とを含んだことを特徴とする。
【００３０】
この請求項１１の発明によれば、単一の取引に伴って利用者から受け取った受取額を所定の比率に基づいて各取引先の口座振込額に配分し、配分した各取引先の口座振込額を該取引先が契約する口座取扱機関の取引先口座に対して並列に振り込むこととしたので、各取引先の口座間の資金移動を減らし、もって事務処理負担並びに資金移動先のリスクを効率良く低減することができる。
【００３１】
また、請求項１２の発明に係る代金振込方法は、請求項１１の発明において、前記単一の取引に伴って前記利用者から受け取る受取額を入力する受取額入力工程をさらに含み、前記配分工程は、前記受取額入力工程により入力された受取額を所定の比率に基づいて各取引先の口座振込額に配分することを特徴とする。
【００３２】
この請求項１２の発明によれば、単一の取引に伴って利用者から受け取る受取額を入力し、入力した受取額を所定の比率に基づいて各取引先の口座振込額に配分することとしたので、入力された受取額を適切に配分して各取引先口座に並列に振り込むことができる。
【００３３】
また、請求項１３の発明に係る代金振込方法は、請求項１１または１２の発明において、前記受取額入力工程は、前記単一の取引に伴う払込取扱票に付されたバーコードを読み取るバーコードリーダにより受取額を入力することを特徴とする。
【００３４】
この請求項１３の発明によれば、単一の取引に伴う払込取扱票に付されたバーコードを読み取るバーコードリーダにより単一の取引に伴って利用者から受け取る受取額を入力することとしたので、コンビニエンスストアのキャッシュレジスタなどに配設されているバーコードリーダを用いて受取額を入力した場合であっても、各取引先口座に対してそれぞれ並列に口座振込額を振り込むことができる。
【００３５】
また、請求項１４の発明に係る代金振込方法は、請求項１３の発明において、前記振込工程は、前記バーコードリーダが付設されたＰＯＳ端末から各取引先が契約する口座取扱機関のサーバ装置に対して各取引先の口座振込額を含む入金データを送信することにより振込処理をおこなうことを特徴とする。
【００３６】
この請求項１４の発明によれば、バーコードリーダが付設されたＰＯＳ端末により上記配分をおこない、各取引先の口座振込額を含む入金データをＰＯＳ端末から各取引先が契約する口座取扱機関のサーバ装置に対して送信することとしたので、ＰＯＳ端末を用いて効率良く資金配分をおこなうことができる。
【００３７】
また、請求項１５の発明に係る代金振込方法は、請求項１１または１２の発明において、前記受取額入力工程は、前記複数の取引先のいずれかに配設されたデビットカード子機により受取額を入力することを特徴とする。
【００３８】
この請求項１５の発明によれば、複数の取引先のいずれかに配設されたデビットカード子機を用いて受取額を入力することとしたので、広く普及しているデビットカードを用いた支払いおよび受取額の入力をおこなった場合であっても、各取引先口座に対してそれぞれ並列に口座振込額を振り込むことができる。
【００３９】
また、請求項１６の発明に係る代金振込方法は、請求項１５の発明において、前記振込工程は、前記デビット子機から金額の決済をおこなう決済銀行が所有する決済銀行サーバ装置から各取引先が契約する口座取扱機関のサーバ装置に対して各取引先の口座振込額を含む入金データを送信することにより振込処理をおこなうことを特徴とする。
【００４０】
この請求項１６の発明によれば、デビット子機から金額の決済をおこなう決済銀行が所有する決済銀行サーバ装置において上記配分がおこなわれ、各取引先の口座振込額を含む入金データを決済銀行サーバ装置から各取引先が契約する口座取扱機関のサーバ装置に対して送信することとしたので、デビット子機を用いて効率良く資金配分をおこなうことができる。
【００４１】
また、請求項１７の発明に係る代金振込方法は、請求項１１〜１６の発明において、前記複数の取引先には、少なくとも保険商品を取り扱う保険会社と、該保険会社による保険契約を代理する代理店が含まれることを特徴とする。
【００４２】
この請求項１７の発明によれば、複数の取引先には、少なくとも保険商品を取り扱う保険会社と、該保険会社による保険契約を代理する代理店が含まれることとしたので、保険会社と代理店の間で生ずる口座間の資金移動をなくすことができる。
【００４３】
また、請求項１８の発明に係る代金振込方法は、請求項１１〜１７の発明において、前記複数の取引先には、少なくとも共同保険契約された商品を取り扱う複数の保険会社が含まれることを特徴とする。
【００４４】
この請求項１８の発明によれば、複数の取引先には、少なくとも共同保険契約された商品を取り扱う複数の保険会社が含まれることとしたので、共同保険契約された商品を取り扱う際に生ずる口座間の資金移動をなくすことができる。
【００４５】
また、請求項１９の発明に係る代金振込方法は、請求項１１〜１８の発明において、前記複数の取引先には、少なくとも再保険契約された商品を取り扱う複数の保険会社が含まれることを特徴とする。
【００４６】
この請求項１９の発明によれば、複数の取引先には、少なくとも再保険契約された商品を取り扱う複数の保険会社が含まれることとしたので、再保険契約された商品を取り扱う際に生ずる口座間の資金移動をなくすことができる。
【００４７】
また、請求項２０の発明に係る代金振込方法は、請求項１１〜１９の発明において、前記複数の取引先には、少なくとも保険商品を取り扱う複数の保険会社と、消費税を徴収する国の機関が含まれることを特徴とする。
【００４８】
この請求項２０の発明によれば、複数の取引先には、少なくとも保険商品を取り扱う複数の保険会社と、消費税を徴収する国の機関が含まれることとしたので、消費税を徴収する際に生ずる口座間の資金移動をなくすことができる。
【００４９】
【発明の実施の形態】
以下に添付図面を参照して、この発明に係る代金振込システムおよび代金振込方法の好適な実施の形態を詳細に説明する。なお、本実施の形態では、本発明を利用者が代理店を介して保険会社と取引を契約する場合を中心に説明することとする。
【００５０】
（実施の形態１）
図１は、本実施の形態１に係る代金振込システムの概念を説明するための説明図である。具体的には、同図（ａ）に従来の代金振込システムの概念を示しており、同図（ｂ）に本実施の形態１に係る代金振込システムの概念を示している。
【００５１】
図１（ａ）に示すように、従来の代金振込システムでは、利用者Ａが保険会社Ｃの保険商品を契約したい場合に、この利用者Ａが保険会社Ｃの当該保険商品を取り扱う代理店Ｂに赴き、代理店Ｂから保険商品の説明を受けた後に、該保険商品の申込みをおこなう。この申込みに伴い、代理店Ｂは、該申込み用紙の控えを保険会社Ｂに送付するとともに、たとえば保険商品の代金を振り込むための振込用紙を利用者Ａに渡す。なお、ここでは利用者Ａが代理店Ｂに直接保険商品の代金を現金で支払う場合を対象外とする。
【００５２】
利用者Ａは、代理店Ｂから振込用紙を受領したならば、この振込用紙を用いて銀行窓口やコンビニエンスストアから代理店Ｂの口座Ｄ１に代金を振り込む。その後、この代理店Ｂは、利用者Ａが支払った代金から手数料を除いた金額を口座Ｄ１から保険会社Ｃの口座Ｄ２に送金する。
【００５３】
このように、従来の代金振込システムでは、代理店Ｂの口座Ｄ１から保険会社Ｃの口座Ｄ２に代金を送金する操作が必要となるので、精算書と収支明細書をつき合わせてチェックする作業が必要であった。なお、ここでは説明の便宜上、利用者Ａが代理店Ｂの口座Ｄ１に代金を振り込む場合を示したが、利用者Ａが保険会社Ｃの口座Ｄ２に振り込む場合も同様のものとなる。すなわち、かかる場合には保険会社Ｃの口座Ｄ２から代理店Ｂの口座Ｄ１に送金が生ずる。
【００５４】
これに対して、本実施の形態に係る代金振込システムでは、代理店Ｂの口座Ｄ１から保険会社Ｃの口座Ｄ２への送金処理自体をなくすことにより、精算書と収支明細書のチェックに伴う人的労力をなくすとともに、代理店Ｂの破産に伴って債権を回収できなくなるリスクを回避することとしている。
【００５５】
具体的には、図１（ｂ）に示すように、利用者Ａが代理店Ｂから保険商品の代金を支払うための振込用紙を受け取り、この振込用紙を用いて代金（保険料）の振込手続をおこなったならば、代理店Ｂの取り分と保険会社Ｃの取り分に保険料が分配され、それぞれの口座Ｄ１および口座Ｄ２に取り分の代金が入金されるよう構成している。
【００５６】
次に、本実施の形態１に係る代金振込システムのシステム構成について説明する。図２は、本実施の形態１に係る代金振込システムのシステム構成を示す機能ブロック図である。なお、以下では説明の便宜上、代理店Ｂの口座と保険会社Ｃの口座がともに同じ銀行内に設けられている場合を示すこととする。
【００５７】
図２に示すように、この代金振込システムは、代理店サーバ２１０と、保険会社サーバ２２０と、ＰＯＳ端末２３０と、銀行サーバ２４０とがネットワーク２５０で接続された構成となる。
【００５８】
代理店サーバ２１０は、図１に示した代理店Ｂ内に配設されたサーバ装置であり、インターフェース部２１１と、印刷部２１２と、顧客データ記憶部２１３と、配分データ作成部２１４と、制御部２１５とを有する。
【００５９】
インターフェース部２１１は、ネットワーク２５０を介したデータ授受をおこなう際に機能するネットワークインターフェースであり、具体的には、通信プロトコルの制御などをおこなう。
【００６０】
印刷部２１２は、保険商品の申込用紙や振込用紙などの印刷処理をおこなうプリンタ装置である。なお、この印刷部２１２では、バーコードの印刷についてもおこなう。
【００６１】
顧客データ記憶部２１３は、申込用紙に対して利用者により記入されたデータ（代理店が取り扱う顧客のデータ）を顧客データとして記憶する記憶部であり、具体的には、申込者の住所、氏名、年齢、職業、契約保険商品の種類、契約保険商品の契約期間などが記憶されている。
【００６２】
配分データ作成部２１４は、利用者が振り込む代金に対する代理店Ｂへの配分と保険会社Ｃへの配分を示す配分データを作成する処理部であり、この配分データ作成部２１４で作成された配分データを含むデータがバーコードの形で印刷部２１２により振込用紙に印刷される。
【００６３】
制御部２１５は、代理店サーバ２１０の全体を制御する制御部であり、この制御部２１５は、図示した各部２１１〜２１４に含まれないユーザインターフェースに係る処理やデータ転送処理などもおこなう。
【００６４】
保険会社サーバ２２０は、保険会社Ｃ内に配設された保険会社Ｃ用のサーバ装置であり、インターフェース部２２１と、商品管理部２２２と、顧客データ記憶部２２３と、制御部２２４とを有する。
【００６５】
インターフェース部２２１は、上記代理店サーバ２１０のインターフェース部２１１と同様にネットワーク２５０を介したデータ授受をおこなう際に機能するネットワークインターフェースであり、具体的には、通信プロトコルの制御などをおこなう。
【００６６】
商品管理部２２２は、保険商品に係る情報を管理する管理部であり、具体的には、保険商品の説明情報などだけではなく保険商品を取り扱う代理店の手数料率についても管理する。このため、すでに説明した代理店サーバ２１０の配分データ作成部２１４は、この商品管理部２２２から取得した保険商品を取り扱う代理店の手数料率に基づいて配分データを作成することになる。
【００６７】
顧客データ記憶部２２３は、申込用紙に対して利用者により記入されたデータ（保険会社が取り扱う顧客のデータ）を顧客データとして記憶する記憶部であり、具体的には、申込者の住所、氏名、年齢、職業、契約保険商品の種類、契約保険商品の契約期間などが記憶されている。
【００６８】
制御部２２４は、保険会社サーバ２２０の全体を制御する制御部であり、この制御部２２４は、図示した各部２２１〜２２３に含まれないユーザインターフェースに係る処理やデータ転送処理などもおこなう。
【００６９】
ＰＯＳ端末２３０は、コンビニエンスストアなどに配設された端末装置であり、インターフェース部２３１と、バーコードリーダ制御部２３２と、バーコードリーダ２３３と、記憶部２３４と、入金データ作成部２３５と、制御部２３６とを有する。
【００７０】
インターフェース部２３１は、上記代理店サーバ２１０のインターフェース部２１１と同様にネットワーク２５０を介したデータ授受をおこなう際に機能するネットワークインターフェースであり、具体的には、通信プロトコルの制御などをおこなう。
【００７１】
バーコードリーダ制御部２３２は、振込用紙に印刷されたバーコードを読み取るバーコードリーダ２３３を制御する制御部であり、読み込んだバーコードデータを制御部２３６に出力する。
【００７２】
記憶部２３４は、バーコードリーダ２３３で読み込んだバーコードデータや後述する入金データ作成部２３５により作成された入金データを一時記憶する記憶部である。
【００７３】
入金データ作成部２３５は、バーコードリーダ２３３で読み込んだバーコードデータに基づいて、どの口座にいくらの金額を振り込むかを示す入金データを作成する処理部である。具体的には、かかるバーコードデータには、代理店Ｂと保険会社Ｃの取り分を示す配分データが含まれるため、この配分データに基づいて入金データを作成する。
【００７４】
制御部２３６は、ＰＯＳ端末２３０の全体を制御する制御部であり、この制御部２３６は、図示した各部２３１〜２３５に含まれないユーザインターフェースに係る処理やデータ転送処理などもおこなう。
【００７５】
銀行サーバ２４０は、銀行内に設けられた銀行口座を関するサーバ装置であり、インターフェース部２４１と、口座データ記憶部２４２と、口座データ更新部２４３と、制御部２４４とを有する。
【００７６】
インターフェース部２４１は、上記代理店サーバ２１０のインターフェース部２１１と同様にネットワーク２５０を介したデータ授受をおこなう際に機能するネットワークインターフェースであり、具体的には、通信プロトコルの制御などをおこなう。
【００７７】
口座データ記憶部２４２は、当該銀行に口座を有する利用者ごとの口座データを記憶する記憶部であり、具体的には、代理店Ｂの口座データＤ１および保険会社Ｃの口座データＤ２を少なくとも記憶する。
【００７８】
口座データ更新部２４３は、振込依頼を受け付けた際に該振込依頼に基づいて該当する口座の口座データを更新する処理部である。制御部２４４は、銀行サーバ２４０の全体を制御する制御部であり、この制御部２４４は、図示した各部２４１〜２４３に含まれないユーザインターフェースに係る処理やデータ転送処理などもおこなう。
【００７９】
次に、図２に示した代理店サーバ２１０が利用者の間でおこなう処理手順について説明する。図３は、図２に示した代理店サーバ２１０が利用者の間でおこなう処理手順を示すフローチャートである。なお、ここでは代理店サーバ２１０の画面上で保険商品の説明をおこなうとともに、保険商品の申込みを画面上で受け付けるものとする。
【００８０】
同図に示すように、代理店サーバ２１０は、保険会社サーバ２２０から受け取った保険商品に係るデータを画面上に表示して商品説明をおこなうとともに、所定のフォーマット上に入力された申込みを受け付ける。
【００８１】
そして、かかる申込みを受け付けたならば、これらを顧客データとして代理店サーバ２１０の顧客データ記憶部２１３上に登録するとともに（ステップＳ３０１）、顧客データを保険会社サーバ２２０に送信する（ステップＳ３０２）。なお、かかる顧客データを受け取った保険会社サーバ２２０は、顧客データ記憶部２２３に顧客データを格納する。
【００８２】
その後、配分データ作成部２１４が代理店Ｂと保険会社Ｃの取り分を示す配分データを作成し（ステップＳ３０３）、作成した配分データを含むバーコードを図４に示すような振込用紙に印刷する（ステップＳ３０４）。
【００８３】
次に、図２に示したＰＯＳ端末２３０の処理手順について説明する。図５は、図２に示したＰＯＳ端末２３０の処理手順を示すフローチャートである。同図に示すように、このＰＯＳ端末２３０では、バーコードリーダ２３３により振込用紙のバーコードを読み取ったならば（ステップＳ５０１）、決済処理をおこなって（ステップＳ５０２）、利用者に領収書を発行するとともに下記に示す入金処理に移行する。
【００８４】
具体的には、バーコードを読み取ったバーコードデータ中に配分データが含まれるか否かにより、かかる振込依頼が複数の口座に配分すべきものであるか否かを確認する（ステップＳ５０３）。
【００８５】
そして、複数の口座に配分すべきものである場合には（ステップＳ５０３肯定）、入金データ作成部２３５により口座ごとに入金データを作成する（ステップＳ５０４）。なお、複数の口座に配分すべきものでない場合には（ステップＳ５０３否定）、そのままステップＳ５０５に移行する。
【００８６】
その後、このＰＯＳ端末２３０は、各入金データを銀行サーバ２４０に対してそれぞれ送信する（ステップＳ５０５）。すなわち、このＰＯＳ端末２３０では、従来のようにとりあえず代理店Ｂの口座Ｄ１に代金すべてを振り込むのではなく、代理店Ｂの口座Ｄ１と保険会社Ｃの口座Ｄ２に分けて振込処理をおこなうのである。
【００８７】
ところで、上記一連の説明では、代理店サーバ２１０上で配分データを作成することとしたが、銀行サーバ２４０上で直接配分処理をおこなうこともできる。このため、銀行サーバ上で直接配分処理をおこなう場合について説明する。図６は、銀行サーバ上で直接配分処理をおこなう場合の銀行サーバの構成を示す図である。
【００８８】
同図に示す銀行サーバ６００は、銀行内に設けられた銀行口座を関するサーバ装置であり、インターフェース部２４１と、口座データ記憶部２４２と、口座データ更新部２４３と、制御部２４４と、配分処理部６１０とを有する。なお、図２に示した銀行サーバ２４０の機能部と同様の機能を有する部分には同一の符号を付すこととしてその詳細な説明を省略する。
【００８９】
同図に示す配分処理部６１０は、ＰＯＳ端末２３０から配分データを受け取って配分処理をおこなう処理部である。たとえば、できるだけ従来のバーコードシステムを変えることなく利用したいというニーズがある場合には、上記配分処理部６１０を銀行サーバ６００に設けることが望ましい。なお、かかる場合には、ＰＯＳ端末２３０上でバーコードデータから配分データを抽出し、抽出した配分データを銀行サーバ６００に送信する必要がある。
【００９０】
次に、図６に示した銀行サーバ６００の処理手順について説明する。図７は、図６に示した銀行サーバ６００の処理手順を示すフローチャートである。同図に示すように、ＰＯＳ端末２３０は、バーコードリーダ２３３により振込用紙のバーコードを読み取ったならば（ステップＳ７０１）、決済処理をおこなって（ステップＳ７０２）、入金データを銀行サーバ６００に送信する（ステップＳ７０３）。
【００９１】
そして、銀行サーバ６００が入金データを受け取ったならば、保険会社サーバ２２０に対してかかる振込依頼が複数の口座に配分すべきものであるか否かをＰＯＳ端末２３０から受け取った配分データに基づいて判断する。その結果、複数の口座に配分すべきものである場合には（ステップＳ７０４肯定）、配分処理部６１０により口座ごとに資金配分して該当する口座にそれぞれ加算する（ステップＳ７０５）。これに対して、複数の口座に配分すべきものでない場合には（ステップＳ７０４否定）、指定口座に全金額を加算する（ステップＳ７０６）。
【００９２】
上述してきたように、本実施の形態１では、代理店サーバ２１０上で配分データを作成してこの配分データを含むバーコードを振込用紙に印刷し、ＰＯＳ端末２３０のバーコードリーダ２３３で振込用紙のバーコードを読み取ったならばかかる配分データに基づいて各口座への入金データを作成し、作成した各口座データに基づいて銀行サーバ２４０が各口座データを更新するよう構成したので、各取引先の口座間の資金移動を減らし、もって事務処理負担並びに資金移動先のリスクを効率良く低減することができる。
【００９３】
（実施の形態２）
ところで、上記実施の形態１では、配分データを代理店サーバ２１０上で作成する場合を示したが、保険会社サーバ２２０上でこの配分データを作成することもできる。そこで、本実施の形態２では、保険会社サーバ上でこの配分データを作成する場合について説明する。
【００９４】
図８は、本実施の形態２に係る代金振込システムのシステム構成を示すブロック図である。なお、図２に示した各機能部と同様の機能を有する部分については同一の符号を付すこととしてその詳細な説明を省略する。
【００９５】
同図に示すように、この代金振込システムは、図２に示したものに比べて保険会社サーバ８１０の構成とＰＯＳ端末８２０の構成が異なる。具体的には、保険会社サーバ８１０には、代理店サーバ２１０上に設けられていた配分データ作成部８１０が移設されている。また、ＰＯＳ端末８２０には、配分データを取得する配分データ取得部８３０が設けられている。
【００９６】
すなわち、この代金振込システムは、実施の形態１（図２）に示したものと異なり、配分データを保険会社サーバ８００側で作成するとともに、ＰＯＳ端末８２０がその配分データをネットワーク２５０を介して取得することとしている。このため、バーコードに配分データを埋め込む必要はない。
【００９７】
図９は、図８に示した代理店サーバ２１０と保険会社サーバ８００の間の処理手順を示すフローチャートである。同図に示すように、代理店サーバ２１０は、保険会社サーバ８００から受け取った保険商品に係るデータを画面上に表示して商品説明をおこなうとともに、所定のフォーマット上に入力された申込みを受け付ける。
【００９８】
そして、かかる申込みを受け付けたならば、これらを顧客データとして代理店サーバ２１０の顧客データ記憶部２１３上に登録するとともに（ステップＳ９０１）、顧客データを保険会社サーバ８００に送信した後に（ステップＳ９０２）、バーコードつきの振込用紙を印刷して（ステップＳ９０３）、この振込用紙を利用者に渡す。
【００９９】
一方、顧客データを受け取った保険会社サーバ８００は、配分する必要があるか否かを商品管理部２２２の内容を参照して確認し（ステップＳ９０４）、配分する必要がある場合には（ステップＳ９０４肯定）、配分データを作成した後に（ステップＳ９０５）、顧客データとともに配分データを記憶する（ステップＳ９０６）。これに対して、配分する必要がない場合には（ステップＳ９０４否定）、顧客データのみを格納する（ステップＳ９０７）。
【０１００】
次に、図８に示したＰＯＳ端末８２０の処理手順について説明する。図１０は、図８に示したＰＯＳ端末８２０の処理手順を示すフローチャートである。同図に示すように、このＰＯＳ端末８２０では、バーコードリーダ２３３により振込用紙のバーコードを読み取ったならば（ステップＳ１００１）、決済処理をおこなって（ステップＳ１００２）、利用者に領収書を発行するとともに下記に示す入金処理に移行する。
【０１０１】
具体的には、バーコードを読み取ったバーコードデータ中に何らかの配分をおこなうべきとするコードが含まれるか否かによってかかる振込依頼が複数の口座に配分すべきものであるか否かを確認する（ステップＳ１００３）。
【０１０２】
そして、複数の口座に配分すべきものである場合には（ステップＳ１００３肯定）、保険会社サーバ８００から配分データを取得し（ステップＳ１００４）、取得した配分データに基づいて入金データ作成部２３５により口座ごとに入金データを作成する（ステップＳ１００５）。なお、複数の口座に配分すべきものでない場合には（ステップＳ１００３否定）、そのままステップＳ１００６に移行する。その後、このＰＯＳ端末８２０は、各入金データを銀行サーバ２４０に対してそれぞれ送信する（ステップＳ１００６）。
【０１０３】
上述してきたように、本実施の形態２では、保険会社サーバ８１０上で配分データを作成管理しておき、ＰＯＳ端末８２０がネットワーク２５０を介して配分データを取得するよう構成したので、バーコードとしては配分があるか否かのみのデータを付与すれば足りる。
【０１０４】
なお、上記実施の形態１および２では、バーコード付きの振込用紙を用いる場合を示したが、本発明はこれに限定されるものではなく、デビットカードで振り込む場合に適用することもできる。
【０１０５】
図１１は、デビットカードで保険商品の代金を支払う場合の概念を説明するための説明図である。同図に示すように、代理店Ｂにデビット子機１１００が配設され、このデビット子機１１００が公衆回線網１１０１および代行センター１１０２を介してＣＡＦＩＳネットワーク１１０３に接続される。
【０１０６】
このＣＡＦＩＳネットワーク１１０３には、利用者Ａが口座を開設するＡＡ銀行のサーバ装置１１０４、決済銀行のサーバ装置１１０５、代理店Ｂが口座を開設するＢＢ銀行のサーバ装置１１０６、保険会社Ｃが口座を開設するＣＣ銀行のサーバ装置１１０７が接続されている。また、決済銀行のサーバ装置１１０５には、ネットワーク２５０を介して保険会社サーバ装置２２０が接続されており、この保険会社サーバ装置２２０は、配分データを保持している。
【０１０７】
そして、代理店Ｂにおいて利用者のデビットカードをデビット子機１１００に挿入して所定の操作をおこなうと、デビットデータがＣＡＦＩＳネットワーク１１０３を介してＡＡ銀行サーバ装置１１０４にアクセスされ、利用者Ａの口座データを確認し、口座から利用額を引き落とし可能であれば、決済をおこなう旨をデビット子機１１００に通知する。
【０１０８】
また、ＡＡ銀行のサーバ装置１１０４は、ＣＡＦＩＳネットワーク１１０３のクリアリングセンターに対して決済データを送信し、クリアリングセンターが決済銀行サーバ装置１１０５に対して決済金額を通知する。
【０１０９】
この決済銀行サーバ装置１１０５は、上記実施の形態で詳細に説明した配分処理をおこなう必要があるか否かを保険会社サーバ２２０に対して問い合わせ、配分データを受け取ったならば、配分処理部１１０５ａにおいて配分処理をおこない、ＢＢ銀行のサーバ装置１１０６とＣＣ銀行のサーバ装置１１０７に対して振込処理をおこなう。
【０１１０】
このように、デビットカードを用いる場合には、決済銀行のサーバ装置１１０５上で配分処理をおこなうことにより、代理店Ｂの口座と保険会社Ｃの口座に並列的に振込処理をおこなうことができる。
【０１１１】
なお、本実施の形態では、利用者が代理店を介して保険会社と取引を契約する場合について説明したが、本発明はこれに限定されるものではなく、利用者が複数の取引先にまたがる単一の取引をおこなう場合に適用することができる。たとえば、複数の保険会社で提供する共同保険契約された商品や再保険契約された商品の場合には、そのうちの一つの保険会社が上記代理店の役割を果たし、保険会社が消費税を支払う場合には、保険会社が上記代理店の役割を果たすことになる。
【０１１２】
また、本実施の形態では、バーコードリーダやデビット子機から入金する場合を説明したが、本発明はこれに限定されるものではなく、現金授受をおこなわずに口座振り込みをおこなう他の入金要領を採用した場合にも適用することもできる。
【０１１３】
さらに、本実施の形態では、保険会社を主体とした場合について説明したが、本発明はこれに限定されるものではなく、金融機関間の口座振込を伴う各種商取引に広く適用することができる。
【０１１４】
【発明の効果】
以上説明したように、請求項１の発明によれば、単一の取引に伴って利用者から受け取った受取額を所定の比率に基づいて各取引先の口座振込額に配分し、配分した各取引先の口座振込額を該取引先が契約する口座取扱機関の取引先口座に対して並列に振り込むこととしたので、各取引先の口座間の資金移動を減らし、もって事務処理負担並びに資金移動先のリスクを効率良く低減することが可能な代金振込システムが得られるという効果を奏する。
【０１１５】
また、請求項２の発明によれば、単一の取引に伴って利用者から受け取る受取額を入力し、入力した受取額を所定の比率に基づいて各取引先の口座振込額に配分することとしたので、入力された受取額を適切に配分して各取引先口座に並列に振り込むことが可能な代金振込システムが得られるという効果を奏する。
【０１１６】
また、請求項３の発明によれば、単一の取引に伴う払込取扱票に付されたバーコードを読み取るバーコードリーダにより単一の取引に伴って利用者から受け取る受取額を入力することとしたので、コンビニエンスストアのキャッシュレジスタなどに配設されているバーコードリーダを用いて受取額を入力した場合であっても、各取引先口座に対してそれぞれ並列に口座振込額を振り込むことが可能な代金振込システムが得られるという効果を奏する。
【０１１７】
また、請求項４の発明によれば、バーコードリーダが付設されたＰＯＳ端末により上記配分をおこない、各取引先の口座振込額を含む入金データをＰＯＳ端末から各取引先が契約する口座取扱機関のサーバ装置に対して送信することとしたので、ＰＯＳ端末を用いて効率良く資金配分をおこなうことが可能な代金振込システムが得られるという効果を奏する。
【０１１８】
また、請求項５の発明によれば、複数の取引先のいずれかに配設されたデビットカード子機を用いて受取額を入力することとしたので、広く普及しているデビットカードを用いた支払いおよび受取額の入力をおこなった場合であっても、各取引先口座に対してそれぞれ並列に口座振込額を振り込むことが可能な代金振込システムが得られるという効果を奏する。
【０１１９】
また、請求項６の発明によれば、デビット子機から金額の決済をおこなう決済銀行が所有する決済銀行サーバ装置において上記配分がおこなわれ、各取引先の口座振込額を含む入金データを決済銀行サーバ装置から各取引先が契約する口座取扱機関のサーバ装置に対して送信することとしたので、デビット子機を用いて効率良く資金配分をおこなうことが可能な代金振込システムが得られるという効果を奏する。
【０１２０】
また、請求項７の発明によれば、複数の取引先には、少なくとも保険商品を取り扱う保険会社と、該保険会社による保険契約を代理する代理店が含まれることとしたので、保険会社と代理店の間で生ずる口座間の資金移動をなくすことが可能な代金振込システムが得られるという効果を奏する。
【０１２１】
また、請求項８の発明によれば、複数の取引先には、少なくとも共同保険契約された商品を取り扱う複数の保険会社が含まれることとしたので、共同保険契約された商品を取り扱う際に生ずる口座間の資金移動をなくすことが可能な代金振込システムが得られるという効果を奏する。
【０１２２】
また、請求項９の発明によれば、複数の取引先には、少なくとも再保険契約された商品を取り扱う複数の保険会社が含まれることとしたので、再保険契約された商品を取り扱う際に生ずる口座間の資金移動をなくすことが可能な代金振込システムが得られるという効果を奏する。
【０１２３】
また、請求項１０の発明によれば、複数の取引先には、少なくとも保険商品を取り扱う複数の保険会社と、消費税を徴収する国の機関が含まれることとしたので、消費税を徴収する際に生ずる口座間の資金移動をなくすことが可能な代金振込システムが得られるという効果を奏する。
【０１２４】
また、請求項１１の発明によれば、単一の取引に伴って利用者から受け取った受取額を所定の比率に基づいて各取引先の口座振込額に配分し、配分した各取引先の口座振込額を該取引先が契約する口座取扱機関の取引先口座に対して並列に振り込むこととしたので、各取引先の口座間の資金移動を減らし、もって事務処理負担並びに資金移動先のリスクを効率良く低減することが可能な代金振込方法が得られるという効果を奏する。
【０１２５】
また、請求項１２の発明によれば、単一の取引に伴って利用者から受け取る受取額を入力し、入力した受取額を所定の比率に基づいて各取引先の口座振込額に配分することとしたので、入力された受取額を適切に配分して各取引先口座に並列に振り込むことが可能な代金振込方法が得られるという効果を奏する。
【０１２６】
また、請求項１３の発明によれば、単一の取引に伴う払込取扱票に付されたバーコードを読み取るバーコードリーダにより単一の取引に伴って利用者から受け取る受取額を入力することとしたので、コンビニエンスストアのキャッシュレジスタなどに配設されているバーコードリーダを用いて受取額を入力した場合であっても、各取引先口座に対してそれぞれ並列に口座振込額を振り込むことが可能な代金振込方法が得られるという効果を奏する。
【０１２７】
また、請求項１４の発明によれば、バーコードリーダが付設されたＰＯＳ端末により上記配分をおこない、各取引先の口座振込額を含む入金データをＰＯＳ端末から各取引先が契約する口座取扱機関のサーバ装置に対して送信することとしたので、ＰＯＳ端末を用いて効率良く資金配分をおこなうことが可能な代金振込方法が得られるという効果を奏する。
【０１２８】
また、請求項１５の発明によれば、複数の取引先のいずれかに配設されたデビットカード子機を用いて受取額を入力することとしたので、広く普及しているデビットカードを用いた支払いおよび受取額の入力をおこなった場合であっても、各取引先口座に対してそれぞれ並列に口座振込額を振り込むことが可能な代金振込方法が得られるという効果を奏する。
【０１２９】
また、請求項１６の発明によれば、デビット子機から金額の決済をおこなう決済銀行が所有する決済銀行サーバ装置において上記配分がおこなわれ、各取引先の口座振込額を含む入金データを決済銀行サーバ装置から各取引先が契約する口座取扱機関のサーバ装置に対して送信することとしたので、デビット子機を用いて効率良く資金配分をおこなうことが可能な代金振込方法が得られるという効果を奏する。
【０１３０】
また、請求項１７の発明によれば、複数の取引先には、少なくとも保険商品を取り扱う保険会社と、該保険会社による保険契約を代理する代理店が含まれることとしたので、保険会社と代理店の間で生ずる口座間の資金移動をなくすことが可能な代金振込方法が得られるという効果を奏する。
【０１３１】
また、請求項１８の発明によれば、複数の取引先には、少なくとも共同保険契約された商品を取り扱う複数の保険会社が含まれることとしたので、共同保険契約された商品を取り扱う際に生ずる口座間の資金移動をなくすことが可能な代金振込方法が得られるという効果を奏する。
【０１３２】
また、請求項１９の発明によれば、複数の取引先には、少なくとも再保険契約された商品を取り扱う複数の保険会社が含まれることとしたので、再保険契約された商品を取り扱う際に生ずる口座間の資金移動をなくすことが可能な代金振込方法が得られるという効果を奏する。
【０１３３】
また、請求項２０の発明によれば、複数の取引先には、少なくとも保険商品を取り扱う複数の保険会社と、消費税を徴収する国の機関が含まれることとしたので、消費税を徴収する際に生ずる口座間の資金移動をなくすことが可能な代金振込方法が得られるという効果を奏する。
【図面の簡単な説明】
【図１】この発明の実施の形態に係る代金振込システムの概念を説明するための説明図である。
【図２】本実施の形態１に係る代金振込システムのシステム構成を示す機能ブロック図である。
【図３】図２に示した代理店サーバが利用者の間でおこなう処理手順を示すフローチャートである。
【図４】配分データを含むバーコードを印刷した振込用紙の一例を示す図である。
【図５】図２に示したＰＯＳ端末の処理手順を示すフローチャートである。
【図６】銀行サーバ上で直接配分処理をおこなう場合の銀行サーバの構成を示す図である。
【図７】図６に示した銀行サーバの処理手順を示すフローチャートである。
【図８】本実施の形態２に係る代金振込システムのシステム構成を示すブロック図である。
【図９】図８に示した代理店サーバと保険会社サーバの間の処理手順を示すフローチャートである。
【図１０】図８に示したＰＯＳ端末の処理手順を示すフローチャートである。
【図１１】デビットカードで保険商品の代金を支払う場合の概念を説明するための説明図である。
【符号の説明】
Ａ　　利用者
Ｂ　　代理店
Ｃ　　保険会社
Ｄ　　銀行
Ｄ１　　代理店の口座
Ｄ２　　保険会社の口座
２１０　　代理店サーバ
２１１　　インターフェース部
２１２　　印刷部
２１３　　顧客データ記憶部
２１４　　配分データ作成部
２１５　　制御部
２２０　　保険会社サーバ
２２１　　インターフェース部
２２２　　商品管理部
２２３　　顧客データ記憶部
２２４　　制御部
２３０　　ＰＯＳ端末
２３１　　インターフェース部
２３２　　バーコードリーダ制御部
２３３　　バーコードリーダ
２３４　　記憶部
２３５　　入金データ作成部
２３６　　制御部
２４０　　銀行サーバ
２４１　　インターフェース部
２４２　　口座データ記憶部
２４３　　口座データ更新部
２４４　　制御部
【図１】
2004038504.tif 000003
【図２】
2004038504.tif 000004
【図３】
2004038504.tif 000005
【図４】
2004038504.tif 000006
【図５】
2004038504.tif 000007
【図６】
2004038504.tif 000008
【図７】
2004038504.tif 000009
【図８】
2004038504.tif 000010
【図９】
2004038504.tif 000011
【図１０】
2004038504.tif 000012
【図１１】
2004038504.tif 000013